(57)【特許請求の範囲】
【請求項１】
内容物が収容される容器本体と；
前記容器本体の上部を覆って結合される円筒形で形成され、内側に弾性体が設置される内キャップと；
前記弾性体によって支持された状態で、前記内キャップの上部で昇下降されるノズル部と；
前記内キャップを覆って結合されるが、上部両側にユーザーの加圧によって内側方向へ移動し、前記ノズル部を加圧する一対のボタン部が具備される外キャップと；
前記ノズル部の昇下降移動によるポンピング作用を通じて内容物を外部へ排出するポンピング部材と；
前記外キャップの上部に結合されるオーバーキャップを固定させる結合部と；および
前記ノズル部を覆って前記結合部に脱離可能なように結合されるオーバーキャップと；を含み、
前記内キャップの外周面には、前記外キャップの回転を防止するように回転防止突起が形成され、前記外キャップの内周面には、前記回転防止突起に結合される回転防止溝が形成されることを特徴とする鼻腔洗浄水の噴射容器。
【請求項２】
前記内キャップの上部外周面の両側には、前記外キャップの昇下降をガイドする昇下降ガイド突起が突出形成されることを特徴とする請求項１に記載の鼻腔洗浄水の噴射容器。
【請求項３】
前記ノズル部は、前記弾性体によって支持され、その下部には、前記昇下降ガイド突起に沿って移動するようにガイド溝が形成され、その上端には、下部から上部へ行くほど狭くなるように両側方向へ傾斜面を形成する一対のポンピングガイド突起が形成される本体と、前記一対のポンピングガイド突起との間で上方向へ突出形成され、前記ポンピング部材と結合されてポンピング部材に圧力を加える結合管を含むことを特徴とする請求項２に記載の鼻腔洗浄水の噴射容器。
【請求項４】
前記ボタン部の内側には、前記ポンピングガイド突起を加圧する加圧突起が形成されることを特徴とする請求項３に記載の鼻腔洗浄水の噴射容器。
【請求項５】
前記内キャップの外周面には、前記外キャップが上方向へ離脱されることを防止するように離脱防止突起が形成され、前記外キャップの内周面には、前記離脱防止突起と結合される係止突起が形成されることを特徴とする請求項１に記載の鼻腔洗浄水の噴射容器。
【請求項６】
前記ノズル部の外周面の両側には、前記オーバーキャップと噛み合って、オーバーキャップの回転によって一緒に回転されるように切断面が形成され、前記オーバーキャップの内周面は、前記切断面に対応する形状で形成されることを特徴とする請求項１に記載の鼻腔洗浄水の噴射容器。
【請求項７】
前記ノズル部の下端には、昇下降ガイド突起の上端に安着される安着溝が形成され、ノズル部の回転時、昇下降ガイド突起を乗り越えることができるように、安着ホームの下端部の長さが相異なる段差を形成することを特徴とする請求項６に記載の鼻腔洗浄水の噴射容器。
【請求項８】
前記ボタン部と当接する前記結合部の下部両側には、ボタン部の内側方向へ移動時、干渉を防止するように切開溝が形成されることを特徴とする請求項１に記載の鼻腔洗浄水の噴射容器。
【請求項９】
前記結合部の上部外周面に、前記オーバーキャップの回転範囲を限定するように対応される一対の回転制限溝が形成され、前記オーバーキャップの内周面には、前記回転制限溝内で移動する回転制限突起が形成されることを特徴とする請求項１に記載の鼻腔洗浄水の噴射容器。
【請求項１０】
前記回転制限溝は回転制限突起の挿入、引き出しが可能なように先端部上端の一部が開放形成されることを特徴とする請求項９に記載の鼻腔洗浄水の噴射容器。
【請求項１１】
前記回転制限溝の末端部には、前記オーバーキャップが一側へ回転して閉鎖された状態で、回転制限突起を支持する支持突起が形成されることを特徴とする請求項９に記載の鼻腔洗浄水の噴射容器。
【発明の詳細な説明】
【技術分野】
【０００１】
本発明は、鼻腔洗浄水の噴射容器に関するもので、より詳細には、外キャップの両側面に形成された一対のボタン部を、同時に加圧時にのみ、ポンピング部材のポンピング作動が行われるように構成されることにより、ユーザーが意図しない状態で外部圧力によってポンピング作動が行われることを根本的に遮断することが可能となるので、洗浄水が不必要に消耗されることを防止できるだけでなく、オーバーキャップの内部が汚染されることを防止できる鼻腔洗浄水の噴射容器に関するものである。
【背景技術】
【０００２】
一般的に、鼻腔洗浄水の噴射容器とは、鼻洗浄水を鼻腔内に投入させて鼻腔内の各種疾患を治療したり不純物を除去し、乾燥することを防止するための容器で、鼻腔とは前方は外鼻孔によって外界に通じ、後方は後鼻孔によって咽頭と通じている場所をいう。
前記のような鼻に投入されている鼻腔洗浄水は、一般的には３％の食塩水を多く使用している方であるが、近来には竹塩など各種の成分を含有して機能性ある鼻洗浄水が開発されている。
【０００３】
最近になって、自動車の排気ガスによる大気汚染、春期の花粉と黄砂、季節の変わり目に流行する風邪ウイルスなどが口と鼻を通じて吸入されることによって、人体に有害な物質が蓄積されたり、各種呼吸器疾患と花粉症と風邪を誘発することが多く発生しており、これによって、いびき症状を示す人らがまた増えている。
【０００４】
これらの各種呼吸器疾患に鼻洗浄が効果あることは、多くの医療報告書を通じて、すでに明らかになっており、各種呼吸器疾患を患っている患者らは、一日に数回ずつ鼻腔を洗浄している。
【０００５】
以下では、登録実用新案第２０−０１６５６６７号を参照して、従来の鼻腔洗浄水の噴射容器を説明する。前記登録実用新案を参照すると、従来の鼻腔洗浄水の噴射容器は、洗浄液が収容される容器（１００）と、前記容器（１００）の口部にねじ結合されている蓋（２００）と、前記蓋（２００）に上下移動可能に結合され、指でかけて上下に移動させるための掛け部（３１０）が下側部に形成されて、内側上部に貯液室（３２０）が形成されるとともに、上端部には洗浄液が噴出される噴出孔（３２ｌ）が形成されたノズル（３００）と、前記ノズル（３００）の貯液室（３２０）に挿入されて、洗浄液が細く均一に噴射されるようにする調節棒（３３０）と、前記ノズル（３００）が上下に移動されることにより、前記容器（１００）に内蔵された洗浄液が、前記貯液室（３１０）に貯蔵され、貯蔵された洗浄液が噴出孔（３１１）を通じて噴出されるようにするバルブ（５００）、（５１０）で構成されることが特徴である。
【０００６】
前記のような構成で形成された鼻腔洗浄水の噴射容器は、容器（１００）の蓋（２００）にノズル（３００）が上側へスライドされるように結合されて、掛け部（３１０）に指をかけて反復的に押すことにより、内側のバルブ（５００）、（５１０）作用によって、洗浄液が噴出されるように構成されるもので、簡便に携帯して使用可能なことが特徴である。
【０００７】
しかし、前記のような鼻腔洗浄水の噴射容器は、掛け部（３１０）の上端を加圧時に、洗浄液が噴出される構造なので、バッグに保管して携帯時にユーザーが操作していないにもかかわらず、掛け部（３１０）に圧力が加わり、洗浄液が流出することによって、内容物が不必要に消耗されるのはもちろん、オーバーキャップの内部が汚染される問題点があった。
【発明の開示】
【発明が解決しようとする課題】
【０００８】
本発明は、上述した問題点を解決するために案出されたことで、本発明の目的は、外キャップの両側面に形成された一対のボタン部を、同時に加圧時にのみ、ポンピング部材のポンピング作動が行われるように構成されることにより、ユーザーが意図しない状態で、外部からの圧力によってポンピング作動が行われることを根本的に遮断することが可能になるので、洗浄水が不必要に消耗されることを防止できるだけでなく、オーバーキャップの内部が汚染されることを防止できる鼻腔洗浄水の噴射容器を提供することである。
また、オーバーキャップとノズル部が噛み合って回転されるように構成され、オーバーキャップを一側に回転してオーバーキャップの脱離が不可能な状態では、ノズル部のガイド溝が昇下降ガイド突起とずれるように位置して、ノズル部の下降が行われないようにされるが、オーバーキャップを他側へ回転して脱離が可能な状態では、ノズル部のガイド溝が昇下降ガイド突起の直上方に位置してノズル部の下降が行われるようにされることで、ユーザーが意図していない状態で、外部圧力によってポンピング作動が行われることを根本的に遮断することが可能になるので、洗浄水が不必要に消耗されることを防止できるだけでなく、オーバーキャップの紛失を防止できる鼻腔洗浄水の噴射容器を提供することである。
【課題を解決するための手段】
【０００９】
前記のような問題点を解決するために、本発明による鼻腔洗浄水の噴射容器は、内容物が収容される容器本体と；前記容器本体の上部を覆って結合される円筒形で形成され、内側に弾性体が設置される内キャップと；前記弾性体によって支持された状態で、前記内キャップの上部で昇下降されるノズル部と；前記内キャップを覆って結合されるが、上部両側に、ユーザーの加圧によって内側方向へ移動して、前記ノズル部を加圧する一対のボタン部が具備される外キャップと；前記ノズル部の昇下降移動によるポンピング作用を通じて内容物を外部へ排出するポンピング部材と；前記外キャップの上部に結合され、オーバーキャップを固定させる結合部と；および前記ノズル部を覆って前記結合部に脱離可能に結合されるオーバーキャップと；を含むことを特徴とする。
【００１０】
また、前記内キャップの上部外周面の両側には、前記外キャップの昇下降をガイドする昇下降ガイド突起が突出形成されることを特徴とする。
【００１１】
また、前記ノズル部は、前記弾性体によって支持され、その下部には、前記昇下降ガイド突起に沿って移動するようにガイド溝が形成され、その上端には、下部から上部へ行くほど狭くなるように両側方向へ傾斜面を形成する一対のポンピングガイド突起が形成される本体と、前記一対のポンピングガイド突起との間で上方向に突出形成され、前記ポンピング部材と結合されてポンピング部材に圧力を加える結合管を含むことを特徴とする。
【００１２】
また、前記ボタン部の内側には、前記ポンピングガイド突起を加圧する加圧突起が形成されることを特徴とする。
【００１３】
また、前記内キャップの外周面には、前記外キャップの回転を防止するように回転防止突起が形成され、前記外キャップの内周面には、前記回転防止突起と結合される回転防止溝が形成されることを特徴とする。
【００１４】
また、前記内キャップの外周面には、前記外キャップが上方向に離脱されることを防止するように離脱防止突起が形成され、前記外キャップの内周面には、前記離脱防止突起と結合される係止突起が形成されることを特徴とする。
【００１５】
また、前記ノズル部の外周面の両側には、前記オーバーキャップと噛み合って、オーバーキャップの回転によって一緒に回転するように切断面が形成され、前記オーバーキャップの内周面は、前記切断面に対応する形状で形成されることを特徴とする。
【００１６】
また、前記ノズル部の下端には、昇下降ガイド突起の上端に安着される安着溝が形成され、ノズル部の回転時の昇下降ガイド突起を乗り越えるように、安着溝の下端部の長さが相異なる段差を形成することを特徴とする。
【００１７】
また、前記ボタン部と当接する前記結合部の下部両側には、ボタン部の内側方向へ移動時、干渉を防止するように切開溝が形成されることを特徴とする。
【００１８】
また、前記結合部の上部外周面に、前記オーバーキャップの回転範囲を限定するように対応される一対の回転制限溝が形成され、前記オーバーキャップの内周面には、前記回転制限溝内で移動する回転制限突起が形成されることを特徴とする。
【００１９】
また、前記回転制限溝は回転制限突起の挿入、引き出しが可能なように先端部上端一部が開放形成されることを特徴とする。
【００２０】
また、前記回転制限溝の末端部には、前記オーバーキャップが一側に回転して閉鎖された状態で回転制限突起を支持する支持突起が形成されることを特徴とする。
【発明の効果】
【００２１】
以上、上述したように、本発明によると、外キャップの両側面に形成された一対のボタンを同時に加圧時にのみ、ポンピング部材のポンピング作動が行われるようにすることにより、ユーザーが意図していない状態で外部圧力によってポンピング作動が行われることを根本的に遮断することが可能になるので、洗浄水が不必要に消耗されることを防止できるだけでなく、オーバーキャップの内部が汚染されることを防止できる長所がある。
【００２２】
また、オーバーキャップとノズル部が噛み合って回転するように構成され、オーバーキャップを一側へ回転してオーバーキャップの脱離が不可能な状態では、ノズル部のガイド溝が昇下降ガイド突起とずれるように位置して、ノズル部の下降が行われないようになるが、オーバーキャップを他側へ回転して脱離が可能な状態では、ノズル部のガイド溝が昇下降ガイド突起の直上方に位置して、ノズル部の下降が行われるようになり、ユーザーが意図していない状態で外部圧力によってポンピング作動が行われることを根本的に遮断することが可能になるので、洗浄水が不必要に消耗されることを防止できるだけでなく、オーバーキャップの紛失を防止できる利点がある。
【００２３】
また、ボタンの側面加圧を通じてポンピング作動が行われるようにすることにより、ポンピング作用時に容器の上下移動が発生しなくなるので、ポンピング作用時、鼻に挿入された結合管の打撃によって鼻内部に傷がつくことを根本的に遮断できる長所がある。
【図面の簡単な説明】
【００２４】
【図１】本発明の好ましい実施例に係る鼻腔洗浄水の噴射容器の構成を示す結合斜視図である。
【図２】本発明の好ましい実施例に係る鼻腔洗浄水の噴射容器の構成を示す分解斜視図である。
【図３】本発明の好ましい実施例に係る鼻腔洗浄水の噴射容器の構成を示す断面図である。
【図４】本発明の好ましい実施例に係る鼻腔洗浄水の噴射容器の動作状態を示す状態図である。
【図５】本発明のまた別の実施例に係る鼻腔洗浄水の噴射容器の構成を示す結合斜視図である。
【図６】本発明のまた別の実施例に係る鼻腔洗浄水の噴射容器の構成を示す分解斜視図である。
【図７】本発明のまた別の実施例に係る鼻腔洗浄水の噴射容器の構成を示す断面図である。
【図８】本発明のまた別の実施例に係る鼻腔洗浄水の噴射容器のノズル部の回転状態を示す説明図である。
【図９】本発明のまた別の実施例に係る鼻腔洗浄水の噴射容器のオーバーキャップおよびノズルの回転によるオーバーキャップの脱離過程を示す説明図である。
【図１０】本発明のまた別の実施例に係る鼻腔洗浄水の噴射容器のオーバーキャップおよびノズルの回転によるオーバーキャップの脱離過程を示す説明図である。
【図１１】本発明のまた別の実施例による鼻腔洗浄水の噴射容器の動作状態を示す状態図である。
【発明を実施するための形態】
【００２５】
以下、図面を参照して本発明を詳細に説明する。各図面に提示された同一参照符号は同一な部材を示す。
【００２６】
図１は、本発明の好ましい実施例に係る鼻腔洗浄水の噴射容器の構成を示す結合斜視図で、図２は、本発明の好ましい実施例に係る鼻腔洗浄水の噴射容器の構成を示す分解斜視図であり、図３は、本発明の好ましい実施例に係る鼻腔洗浄水の噴射容器の構成を示す断面図である。
【００２７】
図１―３に示すように、本発明の好ましい実施例に係る鼻腔洗浄水の噴射容器は、容器本体（１００）、内キャップ（２００）、ノズル部（３００）、外キャップ（４００）、ポンピング部材（５００）、結合部（６００）、オーバーキャップ（７００）が含まれる。
【００２８】
前記容器本体（１００）は、内容物が収容され、その上部に内容物が排出可能なように排出部（１１０）が形成され、排出部（１１０）の外周面には、後述する内キャップ（２００）とのねじ結合が可能なように第１ネジ山（１１１）が形成される。
【００２９】
前記内キャップ（２００）は、前記容器本体（１００）の上部を覆って排出部（１１０）に結合される円筒形で形成され、前記第１のネジ山（１１１）とのねじ結合が可能なように内周面に第２のネジ山（２５０）が形成される。
【００３０】
本発明において、前記内キャップ（２００）の内側には、後述するノズル部（３００）の下端を支持する弾性体（２２０）が設置されることが特徴で、前記弾性体（２２０）は、ボタン部（４１０）の加圧によって下降するノズル部（３００）に弾性力を提供することにより、ボタン部（４１０）の加圧が解除される場合、ノズル部（３００）を上方向に移動させ、これによって、ボタン部（４１０）を加圧可能な状態に復元させる。
【００３１】
また、前記内キャップ（２００）の上部外周面の両側には、後述するノズル部（３００）の昇下降をガイドする昇下降ガイド突起（２１０）が突出形成されることが特徴で、前記の昇下降ガイド突起（２１０）は、ノズル部（３００）の昇下降時、ノズル部（３００）のガイド溝（３１１）に挿入され、ノズル部（３００）が左、右にねじりなく垂直に昇下降されるようにガイドする。
【００３２】
一方、前記内キャップ（２００）の下部外周面には、外キャップ（４００）の回転を防止するように回転防止突起（２３０）が形成され、外キャップ（４００）が上方向に離脱されることを防止するように離脱防止突起（２４０）が形成される。
【００３３】
前記ノズル部（３００）は、前記弾性体（２２０）によって支持された状態で前記内キャップ（２００）の上部から昇下降されるもので、本体（３１０）、結合管（３２０）で構成される。
【００３４】
前記本体（３１０）は、前記弾性体（２２０）によって支持され、前記内キャップ（２００）の上部を覆って結合され、その下端には、前記の昇下降ガイド突起（２１０）と当接する一部が切開され、ノズル部（３００）の昇下降時、前記昇下降ガイド突起（２１０）に沿って移動するガイド溝（３１１）が形成される。
【００３５】
一方、本発明において、前記本体（３１０）の上端には、下部から上部へ行くほど狭くなるように両側方向に傾斜面を形成する一対のポンピングガイド突起（３１２）が形成されることが特徴で、前記ポンピングガイド突起（３１２）は、後述する外キャップ（４００）のボタン部（４１０）操作による加圧突起（４１１）の加圧によってノズル部（３００）が下降されるようにガイドされることとなり、これによって、ポンピング部材（５００）のポンピング作動を可能にする。
【００３６】
前記結合管（３２０）は、前記一対のポンピングガイド突起（３１２）との間で、すなわち、前記本体（３１０）の上端中央部から上方向へ突出形成され、その内側にポンピング部材（５００）の上部が結合されるもので、ユーザーの加圧によるノズル部（３００）の下降時にポンピング部材（５００）へ、その圧力を伝達してポンピング部材（５００）のポンピング作用を可能にする。
【００３７】
前記結合管（３２０）の上端には、ポンピング部材（５００）のポンピング作用を通じて移動する内容物が排出される排出ホール（３２１）が形成され、前記排出ホール（３２１）の上部には、内容物を外部へ排出させるノズルチップ（３２２）が結合される。
【００３８】
前記外キャップ（４００）は、前記内キャップ（２００）を覆って結合される円筒状で形成され、前記外キャップ（４００）の上部両側には、ユーザーの加圧によって内側方向へ移動し、前記ノズル部（３００）を加圧するボタン部（４１０）が具備されるが、前記ボタン部（４１０）の内側には、前記ポンピングガイド突起（３１２）を加圧する加圧突起（４１１）が形成され、ボタン部（４１０）が内側方向へ移動時に加圧突起（４１１）がポンピングガイド突起（３１２）を加圧することにより、ノズル部（３００）の下降によるポンピング作動を可能にする。
【００３９】
一方、前記外キャップ（４００）の内周面には、外キャップ（４００）の回転を防止するように、前記回転防止突起（２３０）と結合される回転防止溝（４２０）が形成され、外キャップ（４００）が前記内キャップ（２００）から脱離されることを防止するように、前記離脱防止突起（２４０）と結合される係止突起（４３０）が形成される。
【００４０】
前記ポンピング部材（５００）は、前記ノズル部（３００）の内側に結合されて、ノズル部（３００）の昇下降移動によるポンピング作用を通じて内容物を外部へ排出するもので、その下端に容器本体（１００）に収容された内容物を吸入する吸入管（５１０）が結合される。前記ポンピング部材（４００）を形成する各構成は、本発明が属する技術分野で公知技術であるため、詳細な説明は省略する。
【００４１】
前記結合部（６００）は、前記外キャップ（４００）の上部に結合され、オーバーキャップ（７００）を固定させるもので、その外周面には、オーバーキャップ（７００）が結合されることが可能なように結合突起（６１０）が形成されることが好ましい。
【００４２】
前記オーバーキャップ（７００）は、前記ノズル部（３００）の結合管（３２０）を覆って外キャップ（４００）の上部に結合される結合部（６００）に結合されるもので、結合部（６００）に形成された結合突起（６１０）に結合され、外部の衝撃からノズルチップ（３２２）を保護する。
【００４３】
以下では、図４を参照して、本発明の好ましい実施例に係る  鼻腔洗浄水の噴射容器の使用方法を説明する。図４は、本発明の好ましい実施例に係る  鼻腔洗浄水の噴射容器の作動状態を示す状態図である。
【００４４】
図４を参照すると、本発明の好ましい実施例に係る鼻腔洗浄水の噴射容器は、外キャップ（４００）の上部両側に具備された一対のボタン部（４１０）を同時に加圧すると、ボタン部（４１０）が内側方向に移動するようになるが、この時、ボタン部（４１０）の内側に形成された加圧突起（４１１）がノズル部（３００）のポンピングガイド突起（３１２）を加圧することとなる。
【００４５】
前記のように、加圧突起（４１１）がポンピングガイド突起（３１２）を加圧すると、ポンピングガイド突起（３１２）の傾斜面によってノズル部（３００）が下降するようになり、ノズル部（３００）が下降することによって、ノズル部（３００）の内側に結合されたポンピング部材（５００）が一緒に下降して、ポンピング作動が発生し、容器本体（１００）に収容された内容物の排出が行われる。
【００４６】
以下では、図５−１１を参照して、本発明のまた別の実施例に係る鼻腔洗浄水の噴射容器を説明する。
【００４７】
図５は、本発明のまた別の実施例に係る鼻腔洗浄水の噴射容器の構成を示めす結合斜視図で、図６は、本発明のまた別の実施例に係る  鼻腔洗浄水の噴射容器の構成を示めす分解斜視図であり、図７は、本発明のまた別の実施例に係る  鼻腔洗浄水の噴射容器の構成を示す断面図である。
【００４８】
図８は、本発明のまた別の実施例に係る鼻腔洗浄水の噴射容器のノズル部の回転状態を示す説明図であって、図９および１０は、本発明のまた別の実施例に係る鼻腔洗浄水の噴射容器のオーバーキャップおよびノズルの回転によるオーバーキャップの脱離過程を示めす説明図であり、図１１は、本発明のまた別の実施例に係る  鼻腔洗浄水の噴射容器の作動状態を示す状態図である。
【００４９】
図５−１１を参照すると、本発明のまた別の実施例に係る鼻腔洗浄水の噴射容器は、容器本体（１００）、内キャップ（２００）、ノズル部（３００）、外キャップ（４００）、ポンピング部材（５００）、結合部（６００）、オーバーキャップ（７００）が含まれる。
【００５０】
前記容器本体（１００）、内キャップ（２００）、外キャップ（４００）、ポンピング部材（５００）は、本発明の好ましい実施例で、前述したことと同一であるので、以下では、ノズル部（３００）、結合部（６００）、オーバーキャップ（７００）のみを説明する。
【００５１】
前記ノズル部（３００）は、前記弾性体（２２０）によって支持された状態で前記内キャップ（２００）の上部から昇下降され、ポンピング部材（５００）のポンピング作動をガイドするもので、本発明のまた別の実施例のノズル部（３００）は、オーバーキャップ（７００）と一緒に回転されるように構成されることが特徴である。
【００５２】
前記ノズル部（３００）は、外周面の両側に、切断面（３２３）が形成されるが、前記切断面（３２３）がオーバーキャップ（７００）の内周面と当接して噛み合うように構成され、オーバーキャップ（７００）の回転によってノズル部（３００）が一緒に回転することを可能にする。
【００５３】
前記ノズル部（３００）は、オーバーキャップ（７００）と一緒に回転することにより、オーバーキャップ（７００）を一側へ回転してオーバーキャップ（７００）の脱離が不可能な状態では、ノズル部（３００）のガイド溝（３１１）が昇下降ガイド突起（２１０）とずれるように位置して、ノズル部（３００）の下降が行われないようになるが、オーバーキャップ（７００）を他側へ回転して脱離が可能な状態では、ノズル部（３００）のガイド溝（３１１）が昇下降ガイド突起（２１０）の直上方に位置してノズル部（３００）の下降が行われるようになるので、ノズル部（３００）の下端には、オーバーキャップ（７００）が９０度回転して脱離が不可能な閉鎖状態で、前記の昇下降ガイド突起（２１０）の上端に安着される安着溝（３１３）が形成される。
【００５４】
前記定着ホーム（３１３）は、昇下降ガイド突起（２１０）の上端に安着されることにより、ノズル部（３００）が下降することを遮断する。
【００５５】
本発明において、前記定着ホーム（３１３）は、図８に示すように、ノズル部（３００）の回転時、昇下降ガイド突起（２１０）を乗り越えることができるように、安着溝（３１３）の一側が他側より短く形成され、その下端部の長さが相異なる段差を形成することが特徴として、ノズル部（３００）の回転時に干渉が発生しないように昇下降ガイド突起（２１０）を乗り越える長さが短く形成される部分がラウンド処理されることが好ましい。
【００５６】
一方、前記ガイド溝（３１１）は、オーバーキャップ（７００）が閉鎖状態から逆方向へ９０度回転して脱離が可能な開放状態となる場合、前記の昇下降ガイド突起（２１０）の直上方に位置することにより、ボタン部（４１０）の加圧によって昇下降が可能となる。
【００５７】
前記ガイド溝（３１１）もまた、ノズル部（３００）の回転時、昇下降ガイド突起（２１０）を乗り越えることができるように、一側が他側より短く形成されて、その下端部の長さが相異なる段差を形成し、ノズル部（３００）の回転時に干渉が発生しないように、昇下降ガイド突起（２１０）を乗り越える長さが短く形成される部分がラウンド処理されることが好ましい。
【００５８】
前記結合部（６００）は、前記外キャップ（４００）の上部に結合されて、オーバーキャップ（７００）を固定させるもので、ボタン部（４１０）の加圧によるボタン部（４１０）の内側方向へ移動時、干渉を防止するように、ボタン部（４１０）と当接する下部両側にボタン部（４１０）の移動が可能な切開ホーム（６２０）が形成される。
【００５９】
一方、本発明において、前記結合部（６００）の上部外周面には、オーバーキャップ（７００）の回転範囲を限定するように対応される一対の回転制限溝（６３０）が形成されることが特徴として、前記回転制限溝（６３０）には、オーバーキャップ（７００）に形成された回転制限突起（７１０）が挿入され、オーバーキャップ（７００）の回転によって回転制限溝（６３０）内で移動するように構成されるので、回転制限溝（６３０）は、回転制限突起（７１０）の挿入、引き出しが可能なように、その先端部上端一部が開放形成されることが好ましい。
【００６０】
また、前記回転制限溝（６３０）の末端部には、オーバーキャップ（７００）が一側へ回転して閉鎖された状態で、オーバーキャップ（７００）の回転制限突起（７１０）を支持する支持突起（６３１）が形成される。
【００６１】
一方、前記結合部（６００）の下部はオーバーキャップ（７００）の回転時に一緒に回転されることを防止するように楕円形状に構成され、この時、結合部（６００）の下部と結合される外キャップ（４００）の上部も楕円形状に形成されることが好ましい。
【００６２】
前記オーバーキャップ（７００）は、前記ノズル部（３００）の結合管（３２０）を覆って結合部（６００）に脱離可能に結合されるもので、本発明のまた別の実施例のオーバーキャップ（７００）は一側または他側へ回転可能なように構成されることが特徴である。
【００６３】
前記オーバーキャップ（７００）は、回転時にノズル部（３００）と噛み合って、ノズル部（３００）が一緒に回転するように、その内周面が前記ノズル部（３００）の切断面（３２３）に対応する形状に形成されるが、ノズル部（３００）が一緒に回転されるようにすることで、オーバーキャップ（７００）の回転によってノズル部（３００）のガイド溝（３１１）の位置を変化させて、ガイド溝（３１１）の位置によってノズル部（３００）の昇下降を規制することが可能である。
【００６４】
前記オーバーキャップ（７００）は、一側へ回転して脱離が不可能な状態では、ノズル部（３００）の下降が行われないように、ノズル部（３００）のガイド溝（３１１）が昇下降ガイド突起（２１０）とずれるように位置させるが、オーバーキャップ（７００）を他側へ回転して脱離された状態では、ノズル部（３００）の下降が行われるように、ノズル部（３００）のガイド溝（３１１）を昇下降ガイド突起（２１０）の直上方に位置させることとなり、これにより、オーバーキャップ（７００）が結合部（６００）に結合されている状態では、ノズル部（３００）の下降が行われないため、ポンピング部材（５００）のポンピング作動が行われることを根本的に遮断することが可能となるので、ユーザーが望まない外部加圧によって不必要に洗浄液が流出されることを防止できるようになる。
【００６５】
一方、前記オーバーキャップ（７００）の内周面には、前記回転制限溝（６３０）内で移動する回転制限突起（７１０）が形成されることが特徴で、図１０に示すように、前記回転制限突起（７１０）は回転制限溝（６３０）の先端部の上端に開放された場所へ挿入されて、オーバーキャップ（７００）の回転によって回転制限溝（６３０）内で移動することとなり、オーバーキャップ（７００）が一側に回転してオーバーキャップ（７００）の脱離が不可能な閉鎖状態では、結合部（６００）の支持突起（６３１）に支持されるように構成されるが、オーバーキャップ（７００）が他側に回転してオーバーキャップ（７００）の脱離が可能な開放状態では、回転制限ホーム（６３０）の先端部上端に開放された場所に位置するように構成される。
【００６６】
以下では、図９−１１を参照して、本発明のまた別の実施例に係る鼻腔洗浄水の噴射容器の使用方法を説明する。図９および１０は、本発明のまた別の実施例に係る鼻腔洗浄水の噴射容器のオーバーキャップおよびノズルの回転によるオーバーキャップの脱離過程を示す説明図であり、図１１は、本発明のまた別の実施例に係る  鼻腔洗浄水の噴射容器の作動状態を示す状態図である。
【００６７】
図９−１１を参照すると、本発明のまた別の実施例に係る鼻腔洗浄水の噴射容器は、最初、オーバーキャップ（７００）が一側へ回転して脱離が不可能なロックされた状態で、オーバーキャップ（７００）を把持した状態に他側方向に９０度回転させると、オーバーキャップ（７００）の回転制限突起（７１０）が回転制限溝（６３０）の先端部上端に開放された場所に移動することになるので、この時、オーバーキャップ（７００）と噛み合ってノズル部（３００）が一緒に回転されるようになり、ノズル部（３００）のガイド溝（３１１）が昇下降ガイド突起（２１０）の直上方に位置することとなる。
【００６８】
次に、オーバーキャップ（７００）を他側方向へ回転させた後、オーバーキャップ（７００）を上方向に移動させると、回転制限溝（６３０）の先端部、開放された場所に沿って回転制限突起（７１０）が引き出されオーバーキャップ（７００）が結合部（６００）から脱離が行われることとなる。
【００６９】
前記のように、オーバーキャップ（７００）の脱離した後、外キャップ（４００）の上部両側に具備された一対のボタン部（４１０）を同時に加圧するとボタン部（４１０）が内側方向へ移動することとなり、この時、ボタン部（４１０）の内側に形成された加圧突起（４１１）がノズル部（３００）のポンピングガイド突起（３１２）を加圧する。
【００７０】
前記のように、加圧突起（４１１）がポンピングガイド突起（３１２）を加圧すると、ポンピングガイド突起（３１２）の傾斜面によってノズル部（３００）が下降するようになり、ノズル部（３００）が下降することによって、ノズル部（３００）の内側に結合されたポンピング部材（５００）が、一緒に下降してポンピング作動が発生し、容器本体（１００）に収容された内容物の排出が行われることとなる。
【００７１】
前述したように、本発明のまた別の実施例に係る鼻腔洗浄水の噴射容器はオーバーキャップ（７００）の回転によってノズル部（３００）の昇下降を規制するように構成されることにより、オーバーキャップ（７００）が閉じている状態では、ポンピング部材（５００）のポンピング作動が行われないようにして、ユーザーの望まない状態で外部圧力によって不必要に内容物が消耗されることを防止できるようになる。
【００７２】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである。
【図１】
0006264368.tif 000002
【図２】
0006264368.tif 000003
【図３】
0006264368.tif 000004
【図４】
0006264368.tif 000005
【図５】
0006264368.tif 000006
【図６】
0006264368.tif 000007
【図７】
0006264368.tif 000008
【図８（ａ）】
0006264368.tif 000009
【図８（ｂ）】
0006264368.tif 000010
【図９（ａ）】
0006264368.tif 000011
【図９（ｂ）】
0006264368.tif 000012
【図９（ｃ）】
0006264368.tif 000013
【図１０（ａ）】
0006264368.tif 000014
【図１０（ｂ）】
0006264368.tif 000015
【図１０（ｃ）】
0006264368.tif 000016
【図１１】
0006264368.tif 000017